(57)【要約】【課題】  どの位置の埋葬孔に焼骨を埋葬したかを簡便に特定できるようにすること。【解決手段】  予め定められた所定領域である散埋骨領域４中にほぼ所定間隔毎に設けられた焼骨を埋葬するための埋葬孔の位置を特定可能なＸ−ＩＤ並びにＹ−ＩＤと、当該埋葬孔に焼骨を埋葬したことを示す埋葬済み情報とを入力するための空き埋葬孔／埋葬候補穴管理画面を出力し、該管理画面からＸ−ＩＤ並びにＹ−ＩＤと埋葬済み情報を対応付けて埋葬状況テーブルに記憶し、該記憶部に記憶されているＸ−ＩＤ並びにＹ−ＩＤと埋葬済み情報とから、散埋骨領域４中において埋葬済みの埋葬孔の位置と、埋葬されていない埋葬孔の位置とを特定可能な埋葬孔選択入力画面を出力する散埋骨墓園管理装置。【選択図】  図２
2005321867.tif 000002
【特許請求の範囲】
【請求項１】
予め定められた所定領域を散埋骨領域とし、該散埋骨領域中にほぼ所定間隔毎に埋葬孔を設けて、該埋葬孔に焼骨を埋葬する散埋骨墓園を管理するための散埋骨墓園管理装置であって、
前記散埋骨領域中における前記埋葬孔の位置を特定可能な位置特定情報と、当該埋葬孔に焼骨を埋葬したことを示す埋葬済み情報とを入力するための入力手段と、
該入力手段から入力された位置特定情報と埋葬済み情報とを対応付けて記憶するための記憶手段と、
該記憶手段に記憶されている前記位置特定情報と埋葬済み情報とから、前記散埋骨領域中において埋葬済みの埋葬孔の位置と、埋葬されていない埋葬孔の位置とを特定可能に出力する出力手段と、
を備えることを特徴とする散埋骨墓園管理装置。
【請求項２】
前記記憶手段に記憶されている前記位置特定情報と埋葬済み情報とから特定される埋葬されていない埋葬孔の内、隣接する埋葬済みの埋葬孔との間隔がより大きくなる埋葬孔の位置特定情報を埋葬候補孔の位置特定情報として特定する埋葬候補孔特定手段を備え、
前記出力手段は、該埋葬候補孔特定手段にて特定された位置特定情報から特定される前記埋葬候補孔の位置を特定可能に出力することを特徴とする請求項１に記載の散埋骨墓園管理装置。
【請求項３】
前記記憶手段には、埋葬された焼骨の故人に関する情報が前記位置特定情報に対応付けて記憶、管理され、
前記位置特定情報を受付けるための位置特定情報受付け手段を備え、
前記出力手段は、前記位置特定情報受付け手段にて受付けた前記位置特定情報に対応付けて前記記憶手段に記憶されている故人に関する情報を抽出して出力することを特徴とする請求項１または２に記載の散埋骨墓園管理装置。
【請求項４】
前記埋葬済み情報が、埋葬孔に焼骨を埋葬した時点を特定可能な埋葬時点特定情報を含み、
本日の年月日等の日付情報を出力するための日付情報出力手段と、
該日付情報出力手段から出力される日付情報と前記記憶手段に記憶されている前記埋葬済み情報としての埋葬時点特定情報とに基づいて、埋葬時点から予め定められた所定期間を経過している埋葬孔の位置特定情報を特定する経過埋葬孔特定手段と、
を備え、
前記出力手段は、前記経過埋葬孔特定手段にて特定された位置特定情報から特定される所定期間を経過している埋葬孔の位置を特定可能に出力することを特徴とする請求項１〜３のいずれかに記載の散埋骨墓園管理装置。
【請求項５】
前記経過埋葬孔特定手段にて特定された所定期間を経過している埋葬孔の内、再度埋葬に使用可能とする埋葬孔の位置特定情報を入力するための使用可能位置特定情報入力手段と、
該使用可能位置特定情報入力手段にて入力された位置特定情報に対応付けて前記記憶手段に記憶されている埋葬済み情報を消去する消去手段と、
を備えることを特徴とする請求項４に記載の散埋骨墓園管理装置。
【発明の詳細な説明】
【技術分野】
【０００１】
本発明は、予め定められた所定領域を、故人の焼骨を散骨に類似した形態にて該所定領域に穿設した埋葬孔に散埋骨するための散埋骨領域とし、該散埋骨領域中にほぼ所定間隔毎に埋葬孔を設けて、該埋葬孔に焼骨を埋葬する散埋骨墓園を管理するための散埋骨墓園管理装置に関する。
【背景技術】
【０００２】
近年、自然回帰の視点から、焼骨の葬祭方法として散骨を希望する人が増えているが、むやみに焼骨を散骨すると、不正に遺棄された遺体の骨との区別ができずに大きな問題となることから、これら散骨葬祭の要望に答えるために、これら焼骨を散骨できる領域を備えた墓園が提案されている（例えば、特許文献１参照）。
【０００３】
【特許文献１】特開２０００−１２９９６０号公報
【発明の開示】
【発明が解決しようとする課題】
【０００４】
しかしながら、特許文献１にあっては、散骨した場所を特定可能とするために、散骨した箇所に表示物を置くようにしているが、この場合では、より自然な環境での散骨を希望する利用者の要望に答えられないとともに、散骨した焼骨が野ざらし状態となってしまい、複数の故人の骨が同一の場所に混在することや、これら散骨した焼骨が野ざらし状態にあることを、日本人の古来の風習から、遺族が好ましく思わないことがあるため、これら表示物を設けずに散骨領域中にほぼ所定間隔毎に埋葬孔を設けて、該埋葬孔に焼骨を埋葬する散埋骨葬祭の方法が提案されてきているが、この場合には、どの位置の埋葬孔に焼骨を埋葬したかを特定することが埋葬後において確認できなくなってしまうことから、誤って埋葬済みの埋葬孔に再度、異なる故人の焼骨を埋葬してしまう危険性があるという問題があった。
【０００５】
本発明は、このような問題点に着目してなされたもので、どの位置の埋葬孔に焼骨を埋葬したかを簡便に特定できるようにすることで、誤って埋葬済みの埋葬孔に再度、異なる故人の焼骨を埋葬してしまうことを回避することのできる散埋骨墓園管理装置を提供することを目的とする。
【課題を解決するための手段】
【０００６】
上記課題を解決するために、本発明の請求項１に記載の散埋骨墓園管理装置は、
予め定められた所定領域を散埋骨領域とし、該散埋骨領域中にほぼ所定間隔毎に埋葬孔を設けて、該埋葬孔に焼骨を埋葬する散埋骨墓園を管理するための散埋骨墓園管理装置であって、
前記散埋骨領域中における前記埋葬孔の位置を特定可能な位置特定情報と、当該埋葬孔に焼骨を埋葬したことを示す埋葬済み情報とを入力するための入力手段と、
該入力手段から入力された位置特定情報と埋葬済み情報とを対応付けて記憶するための記憶手段と、
該記憶手段に記憶されている前記位置特定情報と埋葬済み情報とから、前記散埋骨領域中において埋葬済みの埋葬孔の位置と、埋葬されていない埋葬孔の位置とを特定可能に出力する出力手段と、
を備えることを特徴としている。
この特徴によれば、埋葬済みの埋葬孔の位置と、埋葬されていない埋葬孔の位置とが出力手段により出力されることで、どの位置の埋葬孔に焼骨を埋葬したかを簡便に特定できるようになり、よって、誤って埋葬済みの埋葬孔に再度、異なる故人の焼骨を埋葬してしまうことを回避することができる。
【０００７】
本発明の請求項２に記載の散埋骨墓園管理装置は、請求項１に記載の散埋骨墓園管理装置であって、
前記記憶手段に記憶されている前記位置特定情報と埋葬済み情報とから特定される埋葬されていない埋葬孔の内、隣接する埋葬済みの埋葬孔との間隔がより大きくなる埋葬孔の位置特定情報を埋葬候補孔の位置特定情報として特定する埋葬候補孔特定手段を備え、
前記出力手段は、該埋葬候補孔特定手段にて特定された位置特定情報から特定される前記埋葬候補孔の位置を特定可能に出力することを特徴としている。
この特徴によれば、隣接する埋葬済みの埋葬孔との間隔がより大きくなる新たな埋葬に適する埋葬孔が埋葬候補孔として特定されて、該埋葬候補孔の位置が特定可能に表示されるので、新たに埋葬する際に埋葬する埋葬孔を選択する際の利便性を向上できるばかりか、特定の領域のみに埋葬済みの埋葬孔が集中してしまうことによる不都合、例えば土壌の回復の遅れ等を回避することができる。
【０００８】
本発明の請求項３に記載の散埋骨墓園管理装置は、請求項１または２に記載の散埋骨墓園管理装置であって、
前記記憶手段には、埋葬された焼骨の故人に関する情報が前記位置特定情報に対応付けて記憶、管理され、
前記位置特定情報を受付けるための位置特定情報受付け手段を備え、
前記出力手段は、前記位置特定情報受付け手段にて受付けた前記位置特定情報に対応付けて前記記憶手段に記憶されている故人に関する情報を抽出して出力することを特徴としている。
この特徴によれば、位置特定情報を入力するのみで、当該位置特定情報から特定される位置の埋葬孔に埋葬されている故人に関する情報が抽出されて出力されるようになり、簡便に故人に関する情報を把握できるようになる。
【０００９】
本発明の請求項４に記載の散埋骨墓園管理装置は、請求項１〜３のいずれかに記載の散埋骨墓園管理装置であって、
前記埋葬済み情報が、埋葬孔に焼骨を埋葬した時点を特定可能な埋葬時点特定情報を含み、
本日の年月日等の日付情報を出力するための日付情報出力手段と、
該日付情報出力手段から出力される日付情報と前記記憶手段に記憶されている前記埋葬済み情報としての埋葬時点特定情報とに基づいて、埋葬時点から予め定められた所定期間を経過している埋葬孔の位置特定情報を特定する経過埋葬孔特定手段と、
を備え、
前記出力手段は、前記経過埋葬孔特定手段にて特定された位置特定情報から特定される所定期間を経過している埋葬孔の位置を特定可能に出力することを特徴としている。
この特徴によれば、埋葬時点から予め定められた所定期間を経過している埋葬孔の位置を簡便に把握できるようになり、これら所定期間を経過している埋葬孔の土壌のアルカリ度を測定することで、当該埋葬孔が再度埋葬に利用できるか否かの確認作業を効率良く実施することができる。
【００１０】
本発明の請求項５に記載の散埋骨墓園管理装置は、請求項４に記載の散埋骨墓園管理装置であって、
前記経過埋葬孔特定手段にて特定された所定期間を経過している埋葬孔の内、再度埋葬に使用可能とする埋葬孔の位置特定情報を入力するための使用可能位置特定情報入力手段と、
該使用可能位置特定情報入力手段にて入力された位置特定情報に対応付けて前記記憶手段に記憶されている埋葬済み情報を消去する消去手段と、
を備えることを特徴としている。
この特徴によれば、例えば所定期間を経過している埋葬孔の土壌のアルカリ度測定によって再度埋葬に利用できると判明した埋葬孔の位置特定情報を使用可能位置特定情報入力手段より入力することで、該埋葬孔の位置特定情報に対応付けて前記記憶手段に記憶されている埋葬済み情報が消去されることで、該埋葬孔が埋葬されていない埋葬孔として判定されるようになり、よって、該埋葬孔を再度埋葬に利用できるようになる。
【発明を実施するための最良の形態】
【００１１】
本発明の実施例を以下に説明する。
【実施例】
【００１２】
図1は、本発明を適用した本実施例の散埋骨墓園管理装置の構成を示す図である。
【００１３】
本実施例の散埋骨墓園管理装置は、図１に示すように、予め定められた所定領域を散埋骨領域４とし、該散埋骨領域４中にほぼ所定間隔毎に埋葬孔を設けて、該埋葬孔に焼骨を埋葬する散埋骨墓園における前記埋葬孔への埋葬状況、すなわち埋葬済みであるか否かや、埋葬日や、故人に関する情報等から成る情報を管理するとともに、散埋骨墓園の散埋骨領域４の外周に所定間隔、例えば約１メートル間隔にて設けられた発射柱２に内設され、散埋骨領域４内の埋葬孔の位置を特定可能に出力するための可視光レーザー発振器３に制御信号を出力する管理コンピュータ１により構成される。
【００１４】
尚、本実施例の散埋骨領域４の外周には、所定間隔、例えば約１メートル間隔にて可視光レーザー発振器３が内設された発射柱２が、その下方が地中に埋まるように配設されるとともに、図１に示すように、該発射柱２と散埋骨領域４を挟んで対向する位置に、該発射柱２から発射された可視レーザー光を該発射柱２に向けて反射するための反射柱５を、対をなすように配設することで、散埋骨領域４を対向する発射柱２と反射柱５とを結ぶ各線がほぼ均等、例えば１メートル四方のマトリクス状となるように立設されていて、このようにして立設される各発射柱２並びに各反射柱５には、１辺をＸ軸としてＸ−１、Ｘ−２、Ｘ−３…（Ｘ−（ＩＤ））の識別番号が付与されているとともに、Ｘ軸に直交する１辺をＹ軸としてＹ−１、Ｙ−２、Ｙ−３…（Ｙ−（ＩＤ））の識別番号が付与されていて、これらＸ側の識別番号とＹ側の識別番号との組み合わせにより、散埋骨領域４内の座標（位置）を特定できるようになっており、これら各座標の位置に、故人の焼骨を埋葬する直径約１１センチ程度の図示しない埋葬孔、例えば、（Ｘ−１、Ｙ−１）、（Ｘ−１、Ｙ−２）…、（Ｘ−２、Ｙ−１）、（Ｘ−２、Ｙ−２）…が穿設される。
【００１５】
そして、本実施例に用いた発射柱２並びに反射柱５には、当該発射柱２と反射柱５が立設された位置に該当する前記Ｘ−１、Ｘ−２、Ｘ−３…やＹ−１、Ｙ−２、Ｙ−３…の識別番号が表示された図示しない識別番号プレートが貼設されているとともに、該反射柱５の散埋骨領域４側の面には、前記発射柱２から発射された可視レーザー光を反射するための図示しない鏡面板が設けられていて、前記対向して対を為す発射柱２からの可視レーザー光が該鏡面板にて、該発射柱２に向けて反射されるように、ほぼ平行となるように発射柱２と反射柱５とが立設され、前記反射柱５には、該反射柱５にて反射される可視レーザー光を検出する図示しない受光部が設けられていて、該受光部による反射される可視レーザー光の検出／非検出により、前記発射柱２の発射方向を、図示しない発射方向調節機構にて調節することで、発射柱２と反射柱５の間に確実に可視レーザー光が発射されるようになっている。
【００１６】
尚、本実施例では、前記可視光レーザー発振器３として、レーザーポインタ等として利用されている赤色の可視レーザー光を発振する高出力の半導体レーザーを、重量や出力や動作電力等の観点から好適に使用することができるが、本発明はこれに限定されるものではなく、これらの可視レーザー光の色や発振する波長等は適宜に選択すれば良い。
【００１７】
次に、本実施例における本発明の散埋骨墓園管理装置となる管理コンピュータ１は、図示は省略するが、ＣＰＵの制御プログラム等を格納するＲＯＭ、埋葬孔に焼骨を埋葬済みであるか否かや、埋葬日や、故人に関する情報等から成る埋葬状況を管理する処理と、埋葬孔を特定可能に設けられた可視光レーザー発振器３に制御信号を出力する処理等の各種処理を実施するための処理プログラムを実行するＣＰＵ、必要なデータの書き込み及び読み出しを行うＲＡＭとを備える制御部と、前述の各種処理プログラムや図２に示す各種データテーブル等が記憶された記憶部と、可視光レーザー発振器３に制御信号の出力を行うための通信部と、ディスプレイやキーボードやマウスから成る入出力部とから構成されており、通常のコンピュータとされている。
【００１８】
また、前記管理コンピュータ１の記憶部（図示略）には、図２に示すように、散埋骨領域４中における埋葬孔の位置を特定可能な本発明の位置特定情報としてのＸ−ＩＤ並びにＹ−ＩＤに対応付けて、当該埋葬孔の埋葬状況を登録するための埋葬状況テーブルが記憶されている。
【００１９】
この埋葬状況テーブル（図２参照）について説明すると、埋葬状況テーブルには、埋葬孔の位置特定情報としてのＸ−ＩＤ並びにＹ−ＩＤに対応付けて、当該埋葬孔に焼骨を埋葬したか否かを示す本発明の埋葬済み情報としての埋葬済みフラグと、本発明の埋葬時点特定情報としての埋葬日と、焼骨が埋葬された本発明の故人に関する情報としての生前氏名、命日、享年とが登録されている。
【００２０】
このように、管理コンピュータ１の記憶部（図示略）には、埋葬孔の位置特定情報であるＸ−ＩＤ並びにＹ−ＩＤに対応付けて、埋葬済み情報と、故人に関する情報と、埋葬時点特定情報とが記憶されており、管理コンピュータ１の記憶部（図示略）は本発明の記憶手段を形成する。
【００２１】
次いで、本実施例の散埋骨墓園管理装置としての管理コンピュータ１において、管理者が、管理コンピュータ１の入出力部（図示略）を介して埋葬状況を管理する流れについて、図３に示す画面に基づいて以下に説明する。
【００２２】
管理者が管理コンピュータ１にアクセスすると、まず、入出力部（図示略）のディスプレイには、図３（ａ）に示すように、散埋骨領域４内にマトリクス状に穿設された埋葬孔の位置及び埋葬状況が特定可能に可視化された埋葬孔選択入力画面が表示される。
【００２３】
尚、本実施例では、埋葬孔の埋葬状況として、空き埋葬孔、埋葬候補孔、埋葬済み孔、経過埋葬穴の４種類を設定しており、管理コンピュータ１の制御部（図示略）は、埋葬状況テーブル（図２参照）の埋葬済みフラグと埋葬日に基づいて、各埋葬孔に対して個別に埋葬状況を判定できるとともに、この判定結果に基づいて、埋葬孔選択入力画面（図３（ａ）参照）に示すように、埋葬孔の埋葬状況を特定可能に可視化（例えば、空き埋葬孔は○、埋葬候補孔は◎、埋葬済み孔は×、経過埋葬穴は△）できるようになっている。
【００２４】
各埋葬孔の埋葬状況を判定する方法について詳しく説明すると、埋葬状況テーブル（図２参照）の埋葬済みフラグが「埋葬済みでない」と設定されている埋葬孔は、空き埋葬穴と判定される。また、空き埋葬孔であって、かつ、周囲の埋葬済み孔との間隔が所定の間隔（本実施例では、縦方向あるいは横方向に２座標）以上の埋葬穴は、埋葬候補孔と判定される。すなわち、管理コンピュータ１の制御部（図示略）は、本発明の埋葬候補孔特定手段を形成する。
【００２５】
また、埋葬済みフラグが「埋葬済み」と設定されている埋葬孔は、埋葬済み孔と判定される。また、埋葬済み孔であって、かつ、本日の年月日等の日付情報と埋葬状況テーブル（図２参照）の埋葬日に基づいて、埋葬時点から予め定められた所定期間（本実施例では、３ヶ月）を経過している旨が検出された埋葬孔は、経過埋葬穴と判定される。すなわち、管理コンピュータ１の制御部（図示略）は、本発明の経過埋葬孔特定手段を形成する。
【００２６】
尚、経過埋葬穴の判定に利用される本日の年月日等の日付情報は、管理コンピュータ１の制御部（図示略）の内部時計に基づいて算出出力されることから、管理コンピュータ１の制御部（図示略）は、本発明の日付情報出力手段を形成する。
【００２７】
次いで、埋葬孔選択入力画面（図３（ａ）参照）において、管理者が、空き埋葬孔または埋葬候補孔と判定された埋葬孔、例えば、（Ｘ−２、Ｙ−２）を選択入力すると、管理コンピュータ１の制御部（図示略）は、該選択入力された埋葬孔の位置を示すＸ−ＩＤ並びにＹ−ＩＤと、埋葬孔の埋葬状況とを受付けて、図３（ｂ）に示すように、埋葬日と故人に関する情報とが入力可能とされた空き埋葬孔／埋葬候補穴管理画面を出力する。
【００２８】
そして、管理コンピュータ１の制御部（図示略）は、空き埋葬孔／埋葬候補穴管理画面（図３（ｂ）参照）を出力するとともに、当該空き埋葬孔／埋葬候補穴の位置を示すＸ−ＩＤ並びにＹ−ＩＤに対応付けられた発射柱２（２本）の上面に設けられ、管理コンピュータ１の通信部（図示略）から制御信号を出力可能に接続された図示しない報知ランプに、該報知ランプを点灯させる制御信号を出力する。このようにすれば、報知ランプが点灯している発射柱２の交点を特定することにより、散埋骨領域４内において埋葬しようとする埋葬孔の特定を容易に実施できる。
【００２９】
この空き埋葬孔／埋葬候補穴管理画面（図３（ｂ）参照）において、管理者が、埋葬日と故人に関する情報とを入力して、設定ボタンを操作すると、該入力された埋葬日と故人に関する情報とを受付けた管理コンピュータ１の制御部（図示略）は、埋葬状況テーブル（図２参照）において、管理者に選択入力されたＸ−ＩＤとＹ−ＩＤに対応付けられた埋葬日と故人に関する情報を更新するとともに、埋葬済みフラグを「埋葬済み」に設定する。この結果、当該空き埋葬孔／埋葬候補穴は、埋葬済み孔に設定される。
【００３０】
すなわち、空き埋葬孔／埋葬候補穴管理画面（図３（ｂ）参照）の設定ボタンの操作に応じて、空き埋葬孔／埋葬候補穴の位置特定情報としてのＸ−ＩＤ並びにＹ−ＩＤと、該Ｘ−ＩＤ並びにＹ−ＩＤに対応付けて埋葬状況テーブル（図２参照）に記憶させるための埋葬日、故人に関する情報を受付けるとともに、埋葬済み情報としての埋葬済みフラグを「埋葬済み」に設定する管理コンピュータ１の制御部（図示略）は、本発明の入力手段を形成する。
【００３１】
また、埋葬孔選択入力画面（図３（ａ）参照）において、管理者が、埋葬済み孔または経過埋葬孔と判定された埋葬孔、例えば、（Ｘ−１、Ｙ−１）を選択入力すると、管理コンピュータ１の制御部（図示略）は、該選択入力された埋葬孔の位置を示すＹ−ＩＤ並びにＸ−ＩＤと、埋葬孔の埋葬状況とを受付けて、図３（ｃ）に示すように、埋葬日と故人に関する情報とが消去可能とされた埋葬済み孔／経過埋葬孔管理画面を表示する。
【００３２】
この埋葬済み孔／経過埋葬孔管理画面（図３（ｃ）参照）において、管理者が、消去ボタンを操作すると、消去ボタンが操作された旨を受付けた管理コンピュータ１の制御部（図示略）は、埋葬状況テーブル（図２参照）において、管理者に選択入力されたＸ−ＩＤとＹ−ＩＤに対応付けられた埋葬日と故人に関する情報を消去するとともに、埋葬済みフラグを「埋葬済みでない」に設定する。すなわち、消去ボタンを操作すると、埋葬済み孔／経過埋葬孔管理画面（図３（ｃ）参照）に表示されているＸ−ＩＤ並びにＹ−ＩＤに対応付けられた埋葬済み孔／経過埋葬孔は、再度埋葬に使用可能とする埋葬孔である空き埋葬孔に設定される。
【００３３】
すなわち、埋葬済み孔／経過埋葬孔管理画面（図３（ｃ）参照）の消去ボタンの操作に基づいて、空き埋葬孔に設定しようとする埋葬済み孔／経過埋葬孔の位置特定情報としてのＸ−ＩＤ並びにＹ−ＩＤの入力を受付ける管理コンピュータ１の制御部（図示略）は、本発明の使用可能位置特定情報入力手段を形成する。
【００３４】
また、埋葬済み孔／経過埋葬孔管理画面（図３（ｃ）参照）の消去ボタンの操作に基づいて、埋葬済み孔／経過埋葬孔の位置特定情報としてのＸ−ＩＤ並びにＹ−ＩＤに対応付けて埋葬状況テーブル（図２参照）に記憶されている埋葬日、故人に関する情報を消去するとともに、埋葬済み情報としての埋葬済みフラグを「埋葬済みでない」に設定する管理コンピュータ１の制御部（図示略）は、本発明の消去手段を形成する。
【００３５】
また、埋葬済み孔／経過埋葬孔管理画面（図３（ｃ）参照）において、管理者が、確認ボタンを操作すると、確認ボタンが操作された旨を受付けた管理コンピュータ１の制御部（図示略）は、管理者に選択入力されたＸ−ＩＤとＹ−ＩＤに対応付けられた２つの可視光レーザー発振器３、例えばＸ−１とＹ−２に対応付けられた可視光レーザー発振器３に、可視レーザー光を発振させるための制御信号を出力する。その後、管理者は散埋骨領域４へ移動し、可視レーザー光によって位置特定される埋葬孔の土壌のアルカリ度を調べて、アルカリ度が十分低ければ、埋葬された焼骨が土に還ったとして再度埋葬可能であると判定し、管理コンピュータ１に戻って、前記消去ボタンを操作する等の管理作業を継続する。
【００３６】
このように、管理コンピュータ１の制御部（図示略）は、埋葬孔選択入力画面（図３（ａ）参照）において、管理者に埋葬済み孔または経過埋葬孔が選択入力されることにより、埋葬孔の位置特定情報であるＸ−ＩＤ並びにＹ−ＩＤを受付けており、本発明の位置特定情報受付け手段を形成している。
【００３７】
また、管理コンピュータ１の制御部（図示略）は、埋葬孔選択入力画面（図３（ａ）参照）に示すように、管理者がアクセスしたときに、各埋葬孔の埋葬状況を個別に判定し、該埋葬孔の位置特定情報としてのＸ−ＩＤ並びにＹ−ＩＤとともに、該埋葬孔が、空き埋葬孔か、埋葬候補孔か、埋葬済み孔か、埋葬時点から予め定められた所定期間を経過している経過埋葬孔かを特定可能に出力している。さらに、管理コンピュータ１の制御部（図示略）は、埋葬孔選択入力画面（図３（ａ）参照）を介して受付けた埋葬孔のＸ−ＩＤ並びにＹ−ＩＤに対応付けて管理コンピュータ１の記憶部（図示略）の埋葬状況テーブル（図２参照）に記憶されている故人に関する情報を抽出して、空き埋葬孔／埋葬候補穴管理画面（図３（ｂ）参照）並びに埋葬済み孔／経過埋葬孔管理画面（図３（ｃ）参照）として出力している。すなわち、管理コンピュータ１の制御部（図示略）は、本発明の出力手段を形成している。
【００３８】
以上説明したように、本実施例の散埋骨墓園管理装置としての管理コンピュータ１を用いれば、管理者は、埋葬済みの埋葬孔の位置と、埋葬されていない埋葬孔の位置とが、管理コンピュータ１の記憶部（図示略）の埋葬状況テーブル（図２参照）に基づいて、管理コンピュータ１の制御部（図示略）により出力された埋葬孔選択入力画面（図３（ａ）参照）を見ることで、どの位置の埋葬孔に焼骨を埋葬したかを簡便に特定できるようになり、よって、誤って埋葬済みの埋葬孔に再度、異なる故人の焼骨を埋葬してしまうことを回避することができる。
【００３９】
また、管理コンピュータ１の制御部（図示略）により、隣接する埋葬済みの埋葬孔との間隔がより大きくなる新たな埋葬に適する埋葬孔が埋葬候補孔として特定されて、埋葬孔選択入力画面（図３（ａ）参照）において該埋葬候補孔の位置が特定可能に表示されるので、新たに埋葬する際に埋葬する埋葬孔を選択する際の利便性を向上できるばかりか、特定の領域のみに埋葬済みの埋葬孔が集中してしまうことによる不都合、例えば土壌の回復の遅れ等を回避することができる。
【００４０】
また、管理者は、埋葬孔選択入力画面（図３（ａ）参照）において埋葬孔を選択入力するのみ、すなわち埋葬孔の位置特定情報を入力するのみで、管理コンピュータ１の制御部（図示略）により、当該位置特定情報から特定される位置の埋葬孔に埋葬されている故人に関する情報が抽出されて出力されるようになり、簡便に故人に関する情報を把握できるようになる。
【００４１】
また、管理コンピュータ１の制御部（図示略）により、埋葬時点から予め定められた所定期間を経過している埋葬孔である経過埋葬孔の位置が特定されて、埋葬孔選択入力画面（図３（ａ）参照）において該経過候補孔の位置が特定可能に表示されるので、埋葬時点から予め定められた所定期間を経過している埋葬孔の位置を簡便に把握できるようになり、これら所定期間を経過している埋葬孔の土壌のアルカリ度を測定することで、当該埋葬孔が再度埋葬に利用できるか否かの確認作業を効率良く実施することができる。
【００４２】
また、例えば所定期間を経過している埋葬孔の土壌のアルカリ度測定によって再度埋葬に利用できると判明した埋葬孔の位置特定情報としてのＸ−ＩＤとＹ−ＩＤを、管理コンピュータ１の制御部（図示略）により出力された埋葬孔選択入力画面（図３（ａ）参照）を介して入力することで、該埋葬孔のＸ−ＩＤとＹ−ＩＤに対応付けて管理コンピュータ１の記憶部（図示略）の埋葬状況テーブル（図２参照）に記憶されている埋葬済みフラグが「埋葬済みでない」に設定される、すなわち埋葬済み情報が消去されることで、該埋葬孔が埋葬されていない埋葬孔として判定されるようになり、よって、該埋葬孔を再度埋葬に利用できるようになる。
【００４３】
以上、本発明の実施例を図面により説明してきたが、具体的な構成はこれら実施例に限られるものではなく、本発明の要旨を逸脱しない範囲における変更や追加があっても本発明に含まれる。
【００４４】
例えば、前記実施例においては、管理コンピュータ１の制御部（図示略）は、各埋葬孔が埋葬済み孔か空き埋葬穴かを判定するだけでなく、空き埋葬孔に対しては空き埋葬孔か埋葬候補孔かを判定し、埋葬孔選択入力画面（図３（ａ）参照）により、これらを特定可能に出力しているが、本発明はこれに限定されるものではく、各埋葬孔が埋葬済み孔か空き埋葬穴かのみを判定し、これらを特定可能に出力する構成としても良い。このようにすれば、埋葬状況テーブルの項目を削減できるため記憶容量を低減でき、さらに入出力部を介して入出力する項目を削減できるため管理者の入出力の負担を軽減できる。また、埋葬候補孔の特定を行う必要がないため、制御部の処理負担を軽減できる。
【００４５】
また、前記実施例においては、埋葬状況テーブル（図２参照）に示すように、位置特定情報としてのＸ−ＩＤ並びにＹ−ＩＤに対応付けて、埋葬済み情報に加えて、故人に関する情報が記憶される構成としているが、本発明はこれに限定されるものではなく、Ｘ−ＩＤ並びにＹ−ＩＤに対応付けて、埋葬済み情報のみを記憶する構成としても良い。このようにすれば、埋葬状況テーブルの項目を削減できるため記憶容量を低減でき、さらに入出力部を介して入出力する項目を削減できるため管理者の入出力の負担を軽減できる。
【００４６】
また、前記実施例においては、管理コンピュータ１の制御部（図示略）は、各埋葬孔が埋葬済み孔か空き埋葬穴かを特定するだけでなく、埋葬済み孔に対しては、管理コンピュータ１の制御部（図示略）により出力された本日の日付情報と、管理コンピュータ１の記憶部（図示略）の埋葬状況テーブル（図２参照）に位置特定情報としてのＸ−ＩＤ並びにＹ−ＩＤに対応付けて記憶されている埋葬日とに基づいて、埋葬済み孔か経過埋葬孔かを判定し、埋葬孔選択入力画面（図３（ａ）参照）により、これらを特定可能に出力しているが、本発明はこれに限定されるものではく、各埋葬孔が埋葬済み孔か空き埋葬穴かのみを判定し、これらを特定可能に出力する構成としても良い。このようにすれば、埋葬状況テーブルの項目を削減できるため記憶容量を低減でき、さらに入出力部を介して入出力する項目を削減できるため管理者の入出力の負担を軽減できる。また、本日の日付情報の出力や、経過埋葬孔の判定を行う必要がないため、制御部の処理負担を軽減できる。
【００４７】
また、前記実施例においては、管理コンピュータ１の制御部（図示略）は、埋葬孔選択入力画面（図３（ａ）参照）を介して、経過埋葬孔や埋葬済み孔の位置特定情報を受付け、該受付けた経過埋葬孔や埋葬済み孔の位置特定情報に対応付けて記憶されている埋葬済み情報を含む各種情報の消去を、埋葬済み孔／経過埋葬孔管理画面（図３（ｃ）参照）の消去ボタンが操作されることにより行う構成としているが、本発明はこれに限定されるものではく、埋葬済み情報を含む各種情報の消去を行わない構成としても良い。このようにすれば、経過埋葬孔や埋葬済み孔の位置特定情報の受付けや、埋葬済み情報を含む各種情報の消去を行う必要がないため、制御部の処理負担を軽減できる。
【００４８】
また、前記実施例においては、管理コンピュータ１と可視光レーザー発振器３とを通信可能に接続し、管理コンピュータ１から可視光レーザー発振器３の制御信号を出力できるようになっているが、本発明はこれに限定されるものではく、これら可視光レーザー発振器３との連携をせずに、管理コンピュータ１単独の構成とした散埋骨墓園管理装置としても良く、この場合には、可視光レーザー発振器３に動作スイッチを設け、該動作スイッチを手動で操作することで、可視光レーザー発振器３から可視レーザー光が発振されて、散埋骨領域４において埋葬孔の位置を視覚的に特定できるようにしても良い。
【図面の簡単な説明】
【００４９】
【図１】本発明の本実施例における散埋骨墓園管理装置の全体像を示すシステム図である。
【図２】埋葬状況テーブルを示す図である。
【図３】（ａ）は埋葬孔選択入力画面であり、（ｂ）は空き埋葬孔／埋葬候補穴管理画面であり、（ｃ）は埋葬済み孔／経過埋葬孔管理画面である。
【符号の説明】
【００５０】
１                管理コンピュータ
２                発射柱
３                可視光レーザー発振器
４                散埋骨領域
５                反射柱
【図１】
2005321867.tif 000003
【図２】
2005321867.tif 000004
【図３】
2005321867.tif 000005